(57)【要約】【課題】  肛門内に直に挿入し廻してから抜き出すことにより採便する採便容器を提供する。【解決手段】  肛門内に直に挿入し廻してから抜き出す採便棒が蓋体の内側に閉蓋時には容器本体内に収容された状態になるようにして設けられ、採便棒の先端寄り個所の周壁面にはその肛門内への挿入・抜出操作により糞便を収容しうる採便凹部が設けられ、この採便凹部の底壁面、横壁面の両方若しくは一方は粗面にされ、採便凹部の複数個が周方向に等間隔で設けられ、採便凹部の開口の形状が軸方向に長い形にされ、横壁面が深さ方向に向かうに従い縮径されて傾斜面にされていることを特徴とするものであり、熱による減容性にすぐれた樹脂により構成されているものである。【選択図】図１
0003123502.tif 000002
【実用新案登録請求の範囲】
【請求項１】
肛門内に直に挿入し廻してから抜き出す採便棒が蓋体の内側に閉蓋時には容器本体内に収容された状態になるようにして設けられ、採便棒の先端寄り個所の周壁面にはその肛門内への挿入・抜出操作により糞便を収容しうる採便凹部が設けられ、この採便凹部の底壁面、横壁面の両方若しくは一方は粗面にされていることを特徴とする採便容器。
【請求項２】
請求項１記載の採便容器であって、採便凹部の複数個が周方向若しくは軸方向に所定の間隔で設けられていることを特徴とする採便容器。
【請求項３】
請求項１又は２記載の採便容器であって、採便凹部の開口の形状が軸方向若しくは周方向に長い形にされ、横壁面が深さ方向に向かうに従い縮径されて傾斜面にされていることを特徴とする採便容器。
【請求項４】
請求項１〜３いずれか一つの請求項記載の採便容器であって、採便凹部の底面に貫通孔が設けられていることを特徴とする採便容器。
【請求項５】
請求項１〜４いずれか一つの請求項記載の採便容器であって、前記粗面は、多数個の突起、多数個の凹み、多数本の突条、多数本の凹条のうちの一つ若しくは二つ以上の組み合わせにより形成されていることを特徴とする採便容器。
【請求項６】
請求項１〜５いずれか一つの請求項記載の採便容器であって、採便棒の周壁面には肛門への挿入可能な深さを示す目印が設けられていることを特徴とする採便容器。
【請求項７】
請求項１〜６いずれか一つの請求項記載の採便容器であって、容器本体、蓋体、採便棒のうちの１つ以上がポリエチレンテレフタレート、ポリエチレンナフタレート等の加熱による減容率が高い樹脂により成形されていることを特徴とする採便容器。
【請求項８】
請求項１〜７いずれか一つの請求項記載の採便容器であって、容器本体が生理食塩水等の滅菌剤入りにされていることを特徴とする採便容器。
【請求項９】
請求項１〜８いずれか一つの請求項記載の採便容器であって、容器本体がアルカリペプトン等の前増菌用培地入りにされていることを特徴とする採便容器。
【請求項１０】
請求項１〜９いずれか一つの請求項記載の採便容器であって、閉蓋時に容器本体の開口縁面に圧接して密封機能を果たすパッキンが蓋体の内面に固定されていることを特徴とする採便容器。
【請求項１１】
請求項１０記載の採便容器であって、パッキンが間口の狭い凹溝に嵌着されていることを特徴とする採便容器。
【考案の詳細な説明】
【技術分野】
【０００１】  本考案は、肛門内に直に挿入し廻してから抜き出すことにより採便する採便容器に関する。
【背景技術】
【０００２】  従前、この種の、肛門内に直に挿入し廻してから抜き出すことにより採便する採便容器（特許文献１参照）は、その採便凹部の壁面が滑らかに構成されていて糞便が充分に付着しない、特に軟便の場合における付着が充分にならないことが生じやすく、再度試みざるを得ない状況になることが比較的多くあった。そのために、採便する医師、看護婦も採便される側の患者も体力的負担および視覚、嗅覚に感じる不快感等苦痛を長い時間強いられることになる。【０００３】  また、医師、看護婦等の使用者が患者の肛門に挿入して使用する際には、患者の肛門内に挿入し過ぎることにより患者に苦痛を与える場合も少なくなかった。【０００４】  患者に苦痛を与えることなく、また傷つけることなく、適切に肛門内に挿入して必要量の糞便を採取するためには、医師、看護婦の経験や技能に負うところが大きく、医師等が糞便採取作業に慣れるまでには時間を要するものであった。【０００５】  したがって、上記のような状況を回避することは、非常に大事であり、待望されていた。【０００６】  そこで、本考案者は、試行錯誤の結果、上記のような状況を有効に回避できる手段を案出し、さらにその他の工夫を施して本考案の提供に至ったものである。
【特許文献１】登録実用新案３０４６６９４号公報
【考案の開示】
【考案が解決しようとする課題】
【０００７】  本考案は、前記のような問題点を解消できる新規の採便容器を提供することを課題とする。
【課題を解決するための手段】
【０００８】  上記の課題を達成するために、請求項１に係る採便容器は、肛門内に直に挿入し廻してから抜き出す採便棒が蓋体の内側に閉蓋時には容器本体内に収容された状態になるようにして設けられ、採便棒の先端寄り個所の周壁面にはその肛門内への挿入・抜出操作により糞便を収容しうる採便凹部が設けられ、この採便凹部の底壁面、横壁面の両方若しくは一方は粗面にされていることを特徴とする。【０００９】  したがって、蓋体をツマミとして利用して、採便棒を肛門内に直に挿入し廻してから抜き出すことにより採便凹部内に糞便を収容し採取できる。この場合、当該採便凹部の底壁面、横壁面の両方若しくは一方は粗面にされているので、当該粗面の凹凸により採便凹部の壁面と糞便との接触面積が増量されるから糞便が付着しやすくなり、結果として、採便凹部内には効率よく糞便の収容ができる。【００１０】  請求項２に係る採便容器は、採便凹部の複数個が周方向若しくは軸方向に所定の間隔で設けられていることを特徴とするので、請求項１に係る採便容器の効果に加え、より効率よく糞便の収容ができる。【００１１】  請求項３に係る採便容器は、採便凹部の開口の形状が軸方向若しくは周方向に長い形にされ、横壁面が深さ方向に向かうに従って縮径されて傾斜面にされていることを特徴とするので、請求項１又は２に係る採便容器の効果に加え、採便凹部内には効率よく糞便の誘導ができ、少ない採便棒の廻し操作で採便凹部内には能率よく糞便の収容ができ、採便作業の時短ができる。【００１２】  請求項４に係る採便容器は、採便凹部の底面に貫通孔が設けられていることを特徴とするので、請求項１〜３いずれか一つの請求項記載の採便容器の効果に加え、採便凹部内には貫通孔による連通によってより効率よく糞便の誘導ができ、少ない採便棒の廻し操作で採便凹部内にはより能率よく糞便の収容ができ、採便作業の時短がさらにできる。【００１３】  請求項５に係る採便容器は、前記粗面は、多数個の突起、多数個の凹み、多数本の突条、多数本の凹条のうちの一つ若しくは二つ以上の組み合わせにより形成されていることを特徴とするので、請求項１〜４いずれか一つの請求項記載の採便容器と同様の効果を得ることができる。【００１４】  請求項６に係る採便容器は、採便棒の周壁面には肛門への挿入可能な深さを示す目印が設けられたことを特徴とするので、請求項１〜５いずれか一つの請求項記載の採便容器の効果に加え、患者に苦痛を与えることなく、また傷つけることなく、適切に肛門内に挿入して必要量の糞便を採取する作業を失敗することなく効率よくできるのみならず医師、看護婦等が糞便採取作業に慣れるまでの時間を短縮できる。【００１５】  請求項７に係る採便容器は、請求項１〜６いずれか一つの請求項記載の採便容器であって、容器本体、蓋体、採便棒のうちの１つ以上がポリエチレンテレフタレート、ポリエチレンナフタレート等の加熱による減容率が高い樹脂により成形されているので、その用済み後には、オートクレーブ殺菌（高温高圧殺菌）等により、その体積をほぼ半分〜３分の１の嵩張らない状態にすることが可能になるから、廃棄品の軽量化、廃棄の容易化、焼却の容易化、廃棄焼却のための経費節減ができる。【００１６】  請求項８に係る採便容器は、請求項１〜７いずれか一つの請求項記載の採便容器であって、容器本体が生理食塩水等の滅菌剤入りにされていることを特徴とするので、この生理食塩水等の滅菌剤入り採便容器によれば、先ず蓋体を外し、当該蓋体をツマミとして利用して採便棒を肛門内に直に挿入し廻してから抜き出すことにより採便凹部内に糞便を収容し採取できる。この場合、蓋体を外す前の生理食塩水等滅菌剤入り採便容器内では肛門内挿入用の採便棒が完全に滅菌されているから極めて安全に採便できる。【００１７】  請求項９に係る採便容器は、請求項１〜８いずれか一つの請求項記載の採便容器であって、容器本体がアルカリペプトン等の前増菌用培地入りにされていることを特徴とするので、上記の生理食塩水等滅菌剤入り採便容器から外した滅菌済み状態の採便棒を使用する必要がある検疫所等におけるコレラ菌検査、腸炎ビブリオ検査等の検査作業（以下、特定検査作業という）、具体的には生理食塩水等滅菌剤入り採便容器から外した滅菌済み状態の採便棒をそのまま肛門に挿入して採便することで糞便（検体）付き蓋体を得ると共にアルカリペプトン等の前増菌用培地入り採便容器の蓋体を外してからその代わりに上記の糞便付き蓋体を嵌め閉めて着け替え、そのまま中の前増菌用培地により所定の培養を行うというような特定検査作業に好適に使用しうる形態すなわち、生理食塩水等の滅菌剤入り採便容器とアルカリペプトン等の前増菌用培地入り採便容器とをワンセットにした形態で提供することが可能になるから、結果として特定検査作業に好適な使い勝手のよい製品を容易に提供できるメリットがある。【００１８】  請求項１０に係る採便容器は、請求項１〜９いずれか一つの請求項記載の採便容器であって、閉蓋時に容器本体の開口縁面に圧接して密封機能を果たすパッキンが蓋体の内面に固定されていることを特徴とするので、採便後の容器内から菌や液が漏出することを防止できる。【００１９】  請求項１１に係る採便容器は、請求項１０記載の採便容器であって、パッキンが間口の狭い凹溝に嵌着されていることを特徴とするので、採便後の容器内から菌や液が漏出することをより確実に防止できる。
【考案の効果】
【００２０】  本考案に係る採便容器によれば、採便凹部内には効率よく糞便の収容ができ、採便作業の時短ができる。しかも、医師、看護婦等が適切に肛門内に挿入して必要量の糞便を採取する作業を失敗することなく能率よくできるのみならず医師、看護婦等が糞便採取作業に慣れるまでの時間を短縮できる。さらに用済み後にはオートクレーブ殺菌（高温高圧殺菌）等により、その体積を嵩張らない減容状態にすることができ、廃棄品の軽量化、廃棄の容易化、焼却の容易化、廃棄焼却のための経費節減ができる。また、滅菌された採便棒により常に安全に採便することができる。特定検査作業に好適な使い勝手のよい製品を容易に提供できると共に採便後の培養中容器内から菌や液が漏出することを防止でき、安全性の確保に好適のものである。
【考案を実施するための最良の形態】
【００２１】  図１〜図８は、本考案の実施の形態に係る採便容器を上記特定検査作業に適用できるようにした採便用具１を示すものであり、図１は実施の形態に係る滅菌専用採便容器を示す正面側から見た拡大部位付きの断面図であり、図２は同じく側面側から見た断面図であり、図３は図２ＡーＡ線に沿う個所の切断拡大図であり、図４は採便済みの状態すなわち培養中の状態を示す実施の形態に係る培養専用採便容器の正面側から見た拡大図付きの断面図であり、図５は本考案の実施の形態を示す全体の正面図であり、図６は図５Ｂ−Ｂ線に沿う断面図であり、図７は図５Ｃ−Ｃ線に沿う断面図であり、図８は図５Ｄ−Ｄ線に沿う断面図である。【００２２】  この実施の形態に係る採便容具１は、有底筒状の第一容器本体２および当該第一容器本体２の開口に螺合により着脱自在にされた白色のツマミ兼用第一蓋体３ならびに当該ツマミ兼用第一蓋体３の内面に基端が着脱不能に固定され先端寄り個所に採便凹部４が設けられた採便棒５より構成されると共に上記第一容器本体２内に生理食塩水６が収容された滅菌専用採便容器７と、有底筒状の第二容器本体８および当該第二容器本体８の開口に螺合により着脱自在にされた黄色の第二蓋体９より構成されると共に上記第二容器本体８内にアルカリペプトン水１０が収容された培養専用採便容器１１と、境界部１２により区画された一対の収容部１３ａ、１３ｂを有する開閉ファスナー１４付きの透明合成樹脂袋１５と、により構成されており、当該合成樹脂袋１５の一方の収容部１３ａには上記滅菌専用採便容器７が封入しされ他方の収容部１３ｂには上記培養専用採便容器１１が封入されて上記特定検査作業に適用できるように構成されている。白、黄の色分は、誤認使用の防止等に有効である。【００２３】  上記の特定検査作業に適用できるように構成された採便用具１は、合成樹脂袋１５から滅菌専用採便容器７および培養専用採便容器１１を取り出し、当該取り出した滅菌専用採便容器７のツマミ兼用第一蓋体３を外し、これを使用してその採便凹部４に糞便（検体）を付着させたのち当該糞便付きツマミ兼用第一蓋体３を上記取り出した培養専用採便容器１１の第二蓋体９と付け替えて糞便付着状態の採便凹部４をアルカリペプトン水１０に浸漬させ、当該アルカリペプトン水１０により培養（前増菌培養）するようにされている。【００２４】  そして、用済みの上記生理食塩水６入り滅菌専用採便容器７は、第二蓋体９により閉蓋した状態にして廃棄する。この場合、生理食塩水６を捨ててから閉蓋することが望ましい。また、合成樹脂袋１５は、廃棄するか、検体付きツマミ兼用第一蓋体３で閉蓋された培養専用採便容器１１を検疫所等へ移動する際に保護袋として使用することができる。この場合、滅菌専用採便容器７を収納に使用していた部分を巻き付けることが可能であるから大きな保護力を得ることができ、検疫所までの移動には有効である。採便凹部４は、定量を採取できるようにしてある。アルカリペプトン等の前増菌用培地を寒天等による直接培養（本培地）にして実施してもよく、本考案に含むものである。【００２５】  なお、第一容器本体２の開口に対するツマミ兼用第一蓋体３の着脱部１７と第二容器本体８の開口に対するツマミ��用第二蓋体９の着脱部１８は、液漏れを起すことがない同じ規格の雄ネジ１９ａ、１９ｂおよび雌ネジ２０ａ、２０ｂにより構成されている。【００２６】  また、ツマミ兼用第一蓋体２およびツマミ兼用第二蓋体９の内側には、第一容器本体２および第二容器本体８の開口縁面に圧接して密封機能を果たすパッキン２１が設けられている。当該パッキン２１は突条２２により狭い間口にされた凹溝２３に抜出不能に嵌着されている。【００２７】  また、採便凹部４の底壁面４ａおよび横壁面４ｂは、粗面２５にしてあり、採取機能／接触機能を効果的に達成できるようにしてある。したがって、採便凹部４の壁面は、その表面積が粗面２５により増大され且つ引掛り力が強くされて糞便２６の付着力が顕著に高められる。このような粗面２５は、例えば、多数個の突起、多数個の凹み、多数本の突条、多数本の凹条のうちの一つ若しくは二つ以上の組み合わせにより形成されていることが望ましく、本考案はこれを構成要件としてあるものである。【００２８】  また、採便凹部４の開口の形状は、図では軸方向に長い略長円状の形にされ、横壁面４ｂが深さ方向に向かうに従い縮径されることにより傾斜面にされているが、この採便凹部４は、上記採便作業の場合に糞便を効率よく収容できるものであればよいものであり、他の形状等構成で実施することは可能である。【００２９】  なお、上記採便凹部４は、図９に示すように、その中に糞便を収容し易くする等の機能を果たす貫通孔２７を底面に１本以上設けるなどして実施することができる。この貫通孔２７の内面壁は粗面有り若しくは粗面無しにできる。【００３０】  上記の採便凹部４は、図中に示すような形状・配置に限定されるものでなく、例えばその複数本（個）を縦縞状配置、横縞状配置、格子縞状配置、水玉模様状配置等になるようにして設けることができる。要するに、本考案は、実用新案登録請求の範囲に記載された考案の精神を逸脱しない範囲において、種々の態様で実施することが可能であり、そして本考案はこれ等実施されたものにも及ぶものである。【００３１】  さらに、上記採便棒５の周壁面には、肛門に挿入した場合に肛門内を傷つけることなく、また被験者に苦痛を与えることなく使用しうるように、挿入に最適な深さを示す目印としての線５ａが設けられている。この目印の線５ａは、上記採便棒５の周面全域に形成されている。この線５ａは、本実施の形態にあっては、採便棒５の周面に突条を一体に設けることにより形成されているが、例えば、浅い溝を刻設することにより形成してもよく、又は人には有害ではない塗料で描き設ける等して形成してもよい。【００３２】  また、第一容器本体２および第二容器本体８は、透明ないしは半透明な材料から構成されることが好ましい。より具体的には、樹脂（例えばポリエチレンテレフタレート（ＰＥＴ）、ポリエチレンナフタレート（ＰＥＮ）、ポリエチレン、ポリプロピレン、ポリスチレン、ポリカーボネート、アクリル樹脂、ポリオレフィン樹脂）等の有機材料を用いて形成することができる。特に加熱による減容率が高い樹脂を使用することが望ましく、上記の廃棄品の軽量化、廃棄の容易化、焼却の容易化、廃棄焼却のための経費節減に有効である。【００３３】  また���ツマミ兼用第一蓋体３および第二蓋体９並びに採便棒５を構成する材料は、容器を構成する材料と同じものにより構成することができる。第一容器本体２および第二容器本体８の破損の可能性を低くして、しかも当該第一容器本体２および第二容器本体８との密着性を高める点から、容器より軟らかい材料で構成されていることが好ましい。より具体的には、第一容器本体２および第二容器本体８がＰＥＴ、ＰＥＮ、ＰＰ等の硬質樹脂から構成されている場合、第一蓋体３および第二蓋体９は、ポリオレフィン等の軟質プラスチックないしは軟質樹脂（弾性体ないしエラストマーを包含する趣旨で用いる）から構成することができるし、好ましい場合もある。第一蓋体３および第二蓋体９は、上記では第一容器本体２および第二容器本体８にネジ式で留める形式にしてあるが、バヨネット式若しくは他の液漏れしない形式で留めるものであってもよい。【００３４】  なお、使用直前までは（少なくともその内部は）実質的に無菌状態であることが好ましい。無菌状態にする際には、公知の物理的手段（例えば、紫外線、γ線等の電磁波照射による滅菌）、および／又は化学的手段（例えば、エチレンキサイド等のガスによる滅菌）が特に制限なく使用可能である。このように第一容器本体２の内部を上記の物理的手段もしくは化学的手段により完全無菌の状態にすることで足りるのであれば、滅菌専用採便容器７内に生理食塩水６等滅菌剤を封入せずに実施提供することができる。この実施は本考案に含むものとする。また、本考案の採便用具は、製造後に、上記の物理的手段もしくは化学的手段により無菌状態にして提供することができる。【００３５】  また、本考案において培地は、所望の検出対象菌（例えば、腸炎ビブリオ、食中毒菌、耐性菌など）の培養が可能である限り、種類、組成等は特に制限されず、公知の液状培地、寒天培地、乾燥培地、粉末培地等あるいはその改良培地を使用でき、さらには適宜改変して使用しやすいようにしたものも使用できる。【００３６】  本考案において採便棒５の先端寄り部分に設けた採便凹部４は、直接に菌（糞便）を採取し、採取した後は第二容器本体８内に他の汚染を受けること無く収容可能であり、且つ菌培養時には培地と実質的に十分接触して当該採取した菌の培養に好適な条件を提供する機能を有する粗面２５を備えた部分である。このような採取機能および接触機能が実質的に達成される限り、その構造は限定されず如何なる構造であることもできる。また、先端に採便凹部４を設けた採便棒５の材質、長さ、形状等は、特に制限されない。【００３７】  上記では滅菌専用採便容器７と培養専用採便容器１１とをセットにした採便用具１について主に説明してあるが、滅菌専用採便容器７を採便のみの用途に使用しうる単独の状態で提供することができる。この場合、生理食塩水入り、γ線照射等の滅菌済み形態で提供することが望ましい。使用直前に殺菌処理を施して使用する形式で提供することも可能である。【００３８】  この単独形式の滅菌専用採便容器７は、第一蓋体３を外し採便棒５を利用して糞便を採取し、当該糞便を他の適当な容器に移して速やかに検査に廻す等の検便に使用できる。容器に移し後にはオートクレーブ殺菌（高温高圧殺菌）等によ��殺菌して廃棄される。
【図面の簡単な説明】
【００３９】
【図１】滅菌専用採便容器を示す正面側から見た拡大部付きの断面図である。
【図２】同じく側面側から見た断面図である。
【図３】図２ＡーＡ線に沿う切断拡大図である。
【図４】採便済みの状態を示す正面側から見た断面図である。
【図５】本考案の実施の形態を示す全体の正面図である。
【図６】図５Ｂ−Ｂ線に沿う断面図である。
【図７】図５Ｃ−Ｃ線に沿う断面図である。
【図８】図５Ｄ−Ｄ線に沿う断面図である。
【図９】別異の実施の態様を示す拡大部付きの断面図である。
【符号の説明】
【００４０】  １  採便容具
２  第一容器本体
３  第一蓋体
４  採便凹部
４ａ  底壁面
４ｂ  横壁面
５  採便棒
５ａ  目印線
６  生理食塩水
７  滅菌専用採便容器
８  第二容器本体
９  第二蓋体
１０  アルカリペプトン水
１１  培養専用採便容器
１２  境界部
１３ａ、１３ｂ  収容部
１４  開閉ファスナー
１５  合成樹脂袋
１７  着脱部
１８  着脱部
１９ａ，１９ｂ  雄ネジ
２０ａ，２０ｂ  雌ネジ
２１  パッキン
２２  突条
２３  凹溝
２５  粗面
２６  糞便
２７  貫通孔
【図１】
0003123502.tif 000003
【図２】
0003123502.tif 000004
【図３】
0003123502.tif 000005
【図４】
0003123502.tif 000006
【図５】
0003123502.tif 000007
【図６】
0003123502.tif 000008
【図７】
0003123502.tif 000009
【図８】
0003123502.tif 000010
【図９】
0003123502.tif 000011